(57)【要約】【課題】撮影画像とともに、撮影画像に関連するデータを容易に利用可能な状態で記録する技術を提供することを課題とする。【解決手段】撮像部１１で撮像された画像データ２５とマイク１３で取得した音声データ２６とがメモリ１６に格納される。多次元コード生成部２１は、音声データ２６に基づいて多次元コード２７を生成し、多次元コード合成部２２は、画像データ２５と多次元コード２７とをオーバレイして合成する。このようにして、合成されたデータである多次元コード付画像データ２８を印刷すると、印刷物には、撮影画像とともに音声データを記録した多次元コードの画像が印刷される。この多次元コードは、携帯電話機を用いて簡単に読み取ることが可能であり、撮影画像に関連する音声が容易に再生可能である。【選択図】図１
2007104109.tif 000002
【特許請求の範囲】
【請求項１】
被写体を撮影する撮影手段と、
音声を入力する音声入力手段と、
前記音声入力手段が入力した音声データを画像データ化した多次元コードを生成する多次元コード生成手段と、
前記撮影手段により撮影された画像データと、当該画像データと関連づけられた音声データから生成された多次元コードとをリンクさせて保存する保存手段と、
を備えることを特徴とする画像撮影装置。
【請求項２】
請求項１に記載の画像撮影装置において、
前記保存手段は、
画像データに記録された撮影画像に多次元コードの画像をオーバレイさせて記録する手段、
を含むことを特徴とする画像撮影装置。
【請求項３】
請求項１または請求項２に記載の画像撮影装置において、
前記保存手段は、
多次元コードに記録された音声データのデコードプログラムを当該多次元コードに記録する手段、
を含むことを特徴とする画像撮影装置。
【請求項４】
請求項１または請求項２に記載の画像撮影装置において、
前記保存手段は、
多次元コードに記録された音声データのデコードプログラムが格納されているアクセスパス情報を当該多次元コードに記録する手段、
を含むことを特徴とする画像撮影装置。
【請求項５】
請求項１ないし請求項４のいずれかに記載の画像撮影装置において、さらに、
多次元コードに記録する音声データに音声処理を施す音声処理手段、
を備え、
前記音声処理手段は、音声データが記録されたときの撮影パラメータあるいは画像処理パラメータに基づいて、処理内容が決定されることを特徴とする画像撮影装置。
【請求項６】
被写体を撮影する撮影手段と、
位置情報を取得する位置情報取得手段と、
通信により情報サーバにアクセスし、前記位置情報取得手段により取得した位置情報に基づいて撮影場所のエリア情報を取得するエリア情報取得手段と、
前記エリア情報取得手段が取得したエリア情報を画像データ化した多次元コードを生成する多次元コード生成手段と、
前記撮影手段により撮影された画像データと、当該画像データが撮影されたときに取得したエリア情報から生成された多次元コードとをリンクさせて保存する保存手段と、
を備えることを特徴とする画像撮影装置。
【請求項７】
請求項６に記載の画像撮影装置において、
前記保存手段は、
画像データに記録された撮影画像に多次元コードの画像をオーバレイさせて記録する手段、
を含むことを特徴とする画像撮影装置。
【請求項８】
請求項６または請求項７に記載の画像撮影装置において、
前記エリア情報は、
天気情報、
を含むことを特徴とする画像撮影装置。
【請求項９】
被写体を撮影する撮影手段と、
通信により蓄積サーバにアクセスし、撮影した画像データを前記蓄積サーバに保存するアップロード手段と、
アップロードした画像データの格納位置を示すアクセスパス情報を画像データ化した多次元コードを生成する多次元コード生成手段と、
前記撮影手段により撮影された画像データと、当該画像データの格納位置を示すアクセスパス情報から生成された多次元コードとをリンクさせて保存する保存手段と、
を備えることを特徴とする画像撮影装置。
【請求項１０】
請求項９に記載の画像撮影装置において、
前記保存手段は、
画像データに記録された撮影画像に多次元コードの画像をオーバレイさせて記録する手段、
を含むことを特徴とする画像撮影装置。
【請求項１１】
請求項３、請求項４、請求項６、請求項８または請求項９の中の複数の請求項で記載された画像撮影装置の特徴を備える画像撮影装置。
【発明の詳細な説明】
【技術分野】
【０００１】
本発明は、画像撮影装置に関し、詳しくは、多次元コードを利用した画像データの記録技術に関する。
【背景技術】
【０００２】
撮影時の音声を録音する機能を備えたデジタルカメラが存在する。ユーザは、このデジタルカメラを利用することで、撮影画像を参照しながら撮影時の音声を聞くことができるので、撮影画像の臨場感を味わうことが可能である。
【０００３】
また、最近では、携帯電話機がデジタルカメラとしての役割を担うようになってきている。そして、カメラ付携帯電話機では２次元コードを読み取る機能を備え、膨大な情報（２１セル×２１セル〜１７７セル×１７７セルの２次元コード内に７０８９文字の情報を格納可能）を簡単に読み取る事が可能となった。このことにより、２次元コードを読み取る機能を備えた携帯電話機であればＵＲＬ情報やアドレス帳の入力など手間のかかる操作が容易になった。
【０００４】
下記特許文献１では、カメラで撮影した画像とともに、その撮影画像に関連した音声データをバーコードとしてプリントする技術が開示されている。この特許文献１で用いられているバーコードは、２次元の面積を有するコードという意味においては、２次元バーコードであるが、専用のバーコードを利用して読み取りを行っているという点、図示されたバーコードの形状から情報の記録形式としては、一般には、１次元のバーコードと呼ばれるものである。
【０００５】
【特許文献１】特開２００２−１６５１７３号公報
【発明の開示】
【発明が解決しようとする課題】
【０００６】
上記特許文献１では、撮像画像とともに音声コードがプリントされているが、その音声を視聴するためには、専用のバーコードリーダを用意しなければならない。したがって、ユーザは別途バーコードリーダを購入する必要がある。
【０００７】
また、バーコードリーダは、音声の再生機能を標準で装備しているとは言えない。したがって、作成された印刷物から音声を再生するためには、汎用的なバーコードリーダを利用すればよいというものではなく、音声再生の機能を備えたバーコードリーダを用意する必要がある。
【０００８】
さらに、バーコードリーダは、ある程度の大きさを有する装置であり、手軽に持ち運びして所持できるものではない。
【０００９】
このように、特許文献１で作成された印刷物は、撮影画像と音声がともに記録されているものの、ユーザが、簡易に音声を再生できるものではない。
【００１０】
そこで、本発明は前記問題点に鑑み、撮影画像とともに、撮影画像に関連するデータを容易に利用可能な状態で記録する技術を提供することを目的とする。
【課題を解決するための手段】
【００１１】
上記課題を解決するため、請求項１記載の発明は、被写体を撮影する撮影手段と、音声を入力する音声入力手段と、前記音声入力手段が入力した音声データを画像データ化した多次元コードを生成する多次元コード生成手段と、前記撮影手段により撮影された画像データと、当該画像データと関連づけられた音声データから生成された多次元コードとをリンクさせて保存する保存手段と、を備えることを特徴とする。
【００１２】
請求項２記載の発明は、請求項１に記載の画像撮影装置において、前記保存手段は、画像データに記録された撮影画像に多次元コードの画像をオーバレイさせて記録する手段、を含むことを特徴とする。
【００１３】
請求項３記載の発明は、請求項１または請求項２に記載の画像撮影装置において、前記保存手段は、多次元コードに記録された音声データのデコードプログラムを当該多次元コードに記録する手段、を含むことを特徴とする。
【００１４】
請求項４記載の発明は、請求項１または請求項２に記載の画像撮影装置において、前記保存手段は、多次元コードに記録された音声データのデコードプログラムが格納されているアクセスパス情報を当該多次元コードに記録する手段、を含むことを特徴とする。
【００１５】
請求項５記載の発明は、請求項１ないし請求項４のいずれかに記載の画像撮影装置において、さらに、多次元コードに記録する音声データに音声処理を施す音声処理手段、を備え、前記音声処理手段は、音声データが記録されたときの撮影パラメータあるいは画像処理パラメータに基づいて、処理内容が決定されることを特徴とする。
【００１６】
請求項６記載の発明は、被写体を撮影する撮影手段と、位置情報を取得する位置情報取得手段と、通信により情報サーバにアクセスし、前記位置情報取得手段により取得した位置情報に基づいて撮影場所のエリア情報を取得するエリア情報取得手段と、前記エリア情報取得手段が取得したエリア情報を画像データ化した多次元コードを生成する多次元コード生成手段と、前記撮影手段により撮影された画像データと、当該画像データが撮影されたときに取得したエリア情報から生成された多次元コードとをリンクさせて保存する保存手段と、を備えることを特徴とする。
【００１７】
請求項７記載の発明は、請求項６に記載の画像撮影装置において、前記保存手段は、画像データに記録された撮影画像に多次元コードの画像をオーバレイさせて記録する手段、を含むことを特徴とする。
【００１８】
請求項８記載の発明は、請求項６または請求項７に記載の画像撮影装置において、前記エリア情報は、天気情報、を含むことを特徴とする。
【００１９】
請求項９記載の発明は、被写体を撮影する撮影手段と、通信により蓄積サーバにアクセスし、撮影した画像データを前記蓄積サーバに保存するアップロード手段と、アップロードした画像データの格納位置を示すアクセスパス情報を画像データ化した多次元コードを生成する多次元コード生成手段と、前記撮影手段により撮影された画像データと、当該画像データの格納位置を示すアクセスパス情報から生成された多次元コードとをリンクさせて保存する保存手段と、を備えることを特徴とする。
【００２０】
請求項１０記載の発明は、請求項９に記載の画像撮影装置において、前記保存手段は、画像データに記録された撮影画像に多次元コードの画像をオーバレイさせて記録する手段、を含むことを特徴とする。
【００２１】
請求項１１記載の発明は、画像撮影装置であって、請求項３、請求項４、請求項６、請求項８または請求項９の中の複数の請求項で記載された画像撮影装置の特徴を備える。
【発明の効果】
【００２２】
請求項１記載の発明は、撮影手段により撮影された画像データと、当該画像データと関連づけられた音声データから生成された多次元コードとをリンクさせて保存するので、撮影画像に関連する音声が、容易に再生可能な状態で記録される。たとえば、携帯電話機を用いて撮影画像に関連する音声を容易に再生可能である。
【００２３】
請求項２記載の発明は、画像データに記録された撮影画像に多次元コードの画像をオーバレイさせて記録するので、撮影画像の印刷物に音声情報を記録可能である。
【００２４】
請求項３記載の発明は、多次元コードに記録された音声データのデコードプログラムを当該多次元コードに記録するので、再生端末がデコード方式を意識する必要がない。
【００２５】
請求項４記載の発明は、多次元コードに記録された音声データのデコードプログラムが格納されているアクセスパス情報を当該多次元コードに記録するので、容易にデコードプログラムを取得可能である。
【００２６】
請求項５記載の発明は、音声データが記録されたときの撮影パラメータあるいは画像処理パラメータに基づいて、音声処理の内容が決定されるので、撮影シーンにマッチした臨場感のある音声を再生可能である。
【００２７】
請求項６記載の発明は、撮影手段により撮影された画像データと、当該画像データが撮影されたときに取得したエリア情報から生成された多次元コードとをリンクさせて保存するので、撮影画像に関連するエリア情報が、容易に閲覧可能な状態で記録される。たとえば、携帯電話機を用いて撮影画像に関連するエリア情報を容易に閲覧可能である。
【００２８】
請求項７記載の発明は、画像データに記録された撮影画像に多次元コードの画像をオーバレイさせて記録するので、撮影画像の印刷物にエリア情報を記録可能である。
【００２９】
請求項８記載の発明は、エリア情報として天気情報を含むので、撮影時の天気情報を得ることが可能である。
【００３０】
請求項９記載の発明は、撮影手段により撮影された画像データと、当該画像データの格納位置を示すアクセスパス情報から生成された多次元コードとをリンクさせて保存するので、撮影画像のオリジナルデータを容易に取得可能な情報が記録される。たとえば、携帯電話機を用いて撮影画像のオリジナルデータを容易に取得可能である。
【００３１】
請求項１０記載の発明は、画像データに記録された撮影画像に多次元コードの画像をオーバレイさせて記録するので、撮影画像の印刷物にオリジナルデータの格納情報を記録可能である。
【００３２】
請求項１１記載の発明は、複数の情報を多次元コードに含めるので、撮影画像について豊富な情報を保存可能である。
【発明を実施するための最良の形態】
【００３３】
｛第１の実施の形態｝
以下、図面を参照しつつ本発明の第１の実施の形態について説明する。図１は、第１の実施の形態に係るカメラ付携帯電話機１（以下、携帯電話機１と略す。）の機能ブロック図である。携帯電話機１は、本来の携帯電話機としての機能に加え、画像撮像機能、音声録音機能、ネットワークアクセス機能などを備えている。
【００３４】
撮像部１１は、レンズ、撮像素子を備えており、被写体像を結像してデジタルの画像信号を出力する。画像処理部１２は、撮像部１１から入力したデジタル信号に画像処理を施す。また、画像処理部１２は、画像信号の圧縮処理も行う。撮像素子としては、たとえばＣＣＤが用いられる。
【００３５】
マイク１３は、携帯電話機１の周辺の音声を取得し、音声信号を音声処理部１４に出力する。音声処理部１４は、音声信号に様々な音声処理を施す。また、音声処理部１４は、音声信号を圧縮する処理も行う。
【００３６】
制御部１５は、ＣＰＵ、ＲＡＭなどのハードウェアと、それらＣＰＵ、ＲＡＭなどのハードウェア資源を利用して実行されるソフトウェアから構成される。制御部１５は、多次元コード生成部２１、多次元コード合成部２２、音声エフェクト決定部２３を備えている。
【００３７】
多次元コード生成部２１は、マイク１３より取得し、音声処理部１４において音声処理された音声信号から多次元コード２７を生成する。本実施の形態においては、多次元コード２７として、ＱＲコード（登録商標）などの２次元マトリクスコードを用いている。
【００３８】
多次元コード合成部２２は、多次元コード生成部２１により生成された多次元コード２７を撮像画像にオーバレイして合成する処理部である。前述のように、多次元コード２７として、２次元マトリクスコードを用いており、２次元マトリクスコードは、２次元の画像として表現される。多次元コード合成部２２は、この２次元画像である多次元コード２７を撮影画像の一部あるいは周辺部分にオーバレイして合成するのである。
【００３９】
音声エフェクト決定部２３は、音声処理部１４における音声処理の処理内容を決定する。具体的には、音声エフェクト決定部２３は、撮像部１１における撮像条件パラメータや、画像処理部１２における画像処理パラメータなどに基づいて音声信号に施す様々なエフェクト処理の内容を決定する。撮像条件パラメータとは、撮像部１１の露出、絞り、シャッタースピードなどのパラメータであり、画像処理パラメータとは、ホワイトバランス、ノイズリダクション適応値などのパラメータである。
【００４０】
メモリ１６には、撮像部１１において撮像され、画像処理部１２において画像処理された画像データ２５、マイク１３において取得され、音声処理部１４において音声処理された音声データ２６、多次元コード生成部２１において生成された多次元コード２７、多次元コード合成部２２により合成された多次元コード付画像データ２８、音声データ２６を再生する際に必要なデコードプログラム２９が格納されている。多次元コード付画像データ２８は、画像データ２５に多次元コード２７が合成されたデータである。また、前述の如く、音声処理部１４において音声信号には圧縮処理が施されるため、音声データ２６は、圧縮された音声データである。デコードプログラム２９は、このように圧縮された音声データ２６を伸張するためのプログラムである。
【００４１】
液晶表示部１７は、メモリ１６に記録されている画像データ２５を表示したり、撮像部１１が撮像している映像をライブビューしたりする。その他、液晶表示部１７は、携帯電話機１の本来の機能を実行する際に、電話番号表示、メール表示などに用いられる。操作部１８は、ボタン、ダイヤルなどから構成され、携帯電話機１に各種の操作指示を入力するために用いられる。通信部１９は、通信処理回路およびアンテナ等を備え、インターネット等のネットワークへのアクセス機能を備えている。
【００４２】
以上の如く構成された携帯電話機１を用いて図２で示すような印刷物３５を生成するまでの処理の流れを説明する。ユーザは、まず、携帯電話機１を用いて被写体の撮像を行う。これにより、撮像部１１から出力された画像信号が画像処理部１２において処理されて、画像データ２５がメモリ１６に記録される。このとき、撮像と同時に音声を録音したい場合には、そのモードを選択しておく。これにより、撮影動作と同時に、マイク１３により取得した音声が音声処理部１４において処理されて、音声データ２６がメモリ１６に記録される。
【００４３】
撮影と同時に音声を録音するモードが選択されていない場合には、撮影動作時には、音声は録音されない。ユーザは、撮影後の任意のタイミングで、音声の録音操作を行う。このとき、録音する音声が、いずれの撮影画像と対応するものであるかを指定する操作が行われる。このようにして、撮影と同時あるいは撮影後の任意のタイミングで、撮影画像と対応する音声が録音される。この対応付けは、たとえば、画像データ２５と音声データ２６のファイル名に関連情報を埋め込むようにしてもよいし、各データファイルのヘッダ情報に記録するようにしてもよい。
【００４４】
また、音声処理部１４は、音声エフェクト決定部２３により指定された音声エフェクト処理を実行する。上述したように、音声エフェクト決定部２３は、撮影条件パラメータや画像処理パラメータに応じて音声エフェクトの処理内容を決定する。たとえば、レンズが望遠側に制御されている場合には、被写体までの距離は遠いと推測し、音声ボリュームを上げて、ノイズリダクションを適応させるようにしてもよいし、感度が高く設定されている場合には、夜に撮影していると推測し、音声にディレー処理、エコー処理を施すようにしてもよい。また、撮影条件パラメータや画像処理パラメータに応じてＢＧＭを選択し、合成するようにしてもよい。撮像条件パラメータや画像処理パラメータと音声エフェクト処理との対応は、あらかじめ、そのルールをテーブルに記録させておいてもよい。
【００４５】
次に、多次元コード生成部２１が、音声データ２６に基づいて多次元コード２７を生成する。本実施の形態においては、上述したように、多次元コード２７として２次元マトリクスコードが用いられている。そして、次に、多次元コード合成部２２が、画像データ２５と多次元コード２７とを合成して多次元コード付画像データ２８を生成する。ここで、上述したように、画像データ２５と関連する音声データ２６とは、ファイル名あるいはヘッダを利用してリンクする情報が記録されているが、この音声データ２６から生成された多次元コード２７にもリンクする情報が記録されている。したがって、画像データ２５と多次元コード２７とは、リンクする情報を持っており、このリンクしているデータが合成される。もちろん、画像データ２５と多次元コード２７のいずれかのデータにリンク情報を持たせるだけでもよい。
【００４６】
このようにして合成された多次元コード付画像データ２８は、たとえば、パソコンなどのコンピュータに渡されて印刷されてもよいし、メモリカードに格納されて直接プリンタから印刷されてもよい。図２は、そのようにして印刷された多次元コード付画像データ２８の印刷物３５を示す図である。
【００４７】
印刷物３５には、画像データ２５に記録されている撮影画像３６とともに音声データ２６が記録された多次元コード２７の画像３７が印刷されている。この例では、多次元コード２７の画像３７が、撮影画像３６の左下部分にオーバレイするようにデータが合成されている。したがって、この印刷物３５を見た人は、所有している携帯電話機で、多次元コード２７の画像３７を撮像すればよい。これにより、携帯電話機で多次元コード２７が解読され、音声が再生されるのである。図２で示した例であれば、赤ちゃんの写真を見ながら、画像３７を読み取ることで、この赤ちゃんの泣き声を再生することが可能である。
【００４８】
背景技術において説明したように、１次元バーコードは、一般には、専用のバーコードが必要である。また、１次元バーコードのリーダには、一般には音声再生機能がない。この点、２次元マトリクスコードは、最近では、携帯電話機で読み取ることが可能である。そして、携帯電話機は音声再生機能を備えている。つまり、本実施の形態において生成された多次元コード付画像データ２８を印刷することで、この印刷物３５を見たユーザは、所有している携帯電話機を用いて簡単に音声を再生することが可能である。
【００４９】
次に、デコードプログラム２９の提供方法について説明する。上述したように、音声データ２６は、音声処理部１４において圧縮処理が行われている。したがって、この音声データ２６を再生するためには、音声のデコードプログラム２９が必要である。なお、本発明は、本質的には、音声データが圧縮されている必要はない。非圧縮の音声データを多次元コード化すればよい。しかし、データサイズを考慮すると、音声データは圧縮することが好ましい。
【００５０】
デコードプログラム２９の第１の提供方法は、デコードプログラム２９を多次元コード２７に埋め込む方法である。つまり、多次元コード生成部２１は、音声データ２６と当該音声データ２６をデコードするためのプログラムをセットとして多次元コード２７に埋め込むのである。これにより、印刷物３５に印刷されている多次元コード２７の画像３７を撮像した携帯電話機では、多次元コード２７を解読して、音声データ２６とデコードプログラム２９を取り出し、取り出したデコードプログラム２９を用いて音声データ２６をデコードすることが可能である。
【００５１】
デコードプログラム２９の第２の提供方法は、デコードプログラム２９の格納位置を示すアクセスパス情報を多次元コード２７に埋め込む方法である。あらかじめデコードプログラム２９が蓄積サーバ３１（図１を参照）に格納されており、多次元コード生成部２１は、音声データ２６と当該音声データ２６をデコードするためのプログラムにアクセスするためのパス情報をセットとして多次元コード２７に情報を埋め込むのである。つまり、アクセスパス情報には、蓄積サーバ３１のネットワーク上のアドレスを示すパス情報と、蓄積サーバ３１内のデコードプログラム２９の格納ディレクトリ情報とが含まれる。
【００５２】
これにより、印刷物３５に印刷されている多次元コード２７の画像３７を撮像した携帯電話機では、多次元コード２７を解読して、音声データ２６とデコードプログラム２９へのアクセスパス情報を取り出し、取り出したアクセスパス情報を利用して、蓄積サーバ３１にアクセスしてデコードプログラム２９をダウンロードし、ダウンロードしたデコードプログラム２９を用いて音声データ２６をデコードすることが可能である。
【００５３】
以上、音声データを多次元コード化する第１の実施の形態について説明したが、この多次元コードには、音声データ以外にも他のデータを記録するようにしてもよい。たとえば、音声データとともに自由コメントを記録しておくようにしてもよい。図２で示した例であれば、赤ちゃんの泣き声の音声データの他に、赤ちゃんの生年月日、身長、体重などのデータをコメントとして記録しておくようにしてもよい。
【００５４】
｛第２の実施の形態｝
次に、本発明の第２の実施の形態について説明する。図３は、第２の実施の形態に係るカメラ付携帯電話機４（以下、携帯電話機４と略す。）のブロック図である。
【００５５】
撮像部４１、画像処理部４２は、第１の実施の形態における撮像部１１、画像処理部１２と同様である。制御部４３は、ＣＰＵ、ＲＡＭなどのハードウェアと、それらＣＰＵ、ＲＡＭなどのハードウェア資源を利用して実行されるソフトウェアから構成される。制御部４３は、多次元コード生成部５１、多次元コード合成部５２、エリア情報取得部５３を備えている。
【００５６】
多次元コード生成部５１は、メモリ４４に記録されたエリアデータ５６から多次元コードを生成する。本実施の形態においては、多次元コード５７として、ＱＲコード（登録商標）などの２次元マトリクスコードを用いている。多次元コード合成部５２は、第１の実施の形態と同様、多次元コード生成部５１により生成された多次元コード５７を撮像画像にオーバレイして合成する処理部である。
【００５７】
エリア情報取得部５３は、エリア情報サーバ６１から現在位置に関連した情報を取得する。なお、現在位置は、ＧＰＳを利用して取得する。具体的には、位置情報取得部４８が、衛星６２から現在位置情報を取得し、エリア情報取得部５３は、位置情報取得部４８が取得した現在位置情報に基づいてエリア情報サーバ６１からエリアデータ５６を取得するのである。エリアデータ５６とは、たとえば、地域情報、観光地情報、天気情報などである。エリア情報サーバ６１は、このように位置情報に対応した情報を蓄積しており、位置情報が与えられると、その位置情報に対応した情報を提供するサービスを行っている。なお、機種によっては、ＧＰＳから取得した位置情報を撮影画像のＥｘｉｆタグ内に記録するものがある。この場合には、Ｅｘｉｆタグを参照して位置情報を取得するようにしてもよい。また、この実施の形態では、ＧＰＳを利用して位置情報を取得するようにしているが、ユーザに現在位置の指定をさせることによって位置情報を取得する形態であってもよい。
【００５８】
メモリ４４に記録されるエリアデータ５６は、撮像された画像とのリンク情報が記録される。たとえば、対応する画像データ５５とエリアデータ５６のファイル名にリンク情報を埋め込んでもよいし、ファイルのヘッダにリンク情報を埋め込んでもよい。
【００５９】
メモリ４４には、撮像部４１において撮像され、画像処理部４２において画像処理された画像データ５５、エリア情報取得部５３が取得したエリアデータ５６、多次元コード生成部５１において生成された多次元コード５７、多次元コード合成部５２により合成された多次元コード付画像データ５８が格納されている。
【００６０】
液晶表示部４５、操作部４６、通信部４７は、第１の実施の形態における液晶表示部１７、操作部１８、通信部１９と同様である。
【００６１】
以上の如く構成された携帯電話機４を用いて図４で示すような印刷物６５を生成するまでの処理の流れを説明する。ユーザは、まず、携帯電話機４を用いて被写体の撮像を行う。これにより、撮像部４１から出力された画像信号が画像処理部４２において処理されて、画像データ５５がメモリ４４に記録される。
【００６２】
また、撮影動作と平行して、あるいは撮影後に、位置情報取得部４８が衛星６２から現在の位置情報を取得する。そして、エリア情報取得部５３が、エリア情報サーバ６１にアクセスし、現在の位置情報に基づいてエリアデータ５６を取得する。
【００６３】
次に、多次元コード生成部５１が、エリアデータ５６に基づいて多次元コード５７を生成する。そして、多次元コード合成部５２が、画像データ５５と多次元コード５７とを合成して多次元コード付画像データ５８を生成する。ここで、上述したように、画像データ５５と関連するエリアデータ５６とは、ファイル名あるいはヘッダを利用してリンクする情報が記録されているが、このエリアデータ５６から生成された多次元コード５７にもリンクする情報が記録されている。したがって、画像データ５５と多次元コード５７とは、リンクする情報を持っており、このリンクしているデータが合成される。
【００６４】
このようにして合成された多次元コード付画像データ５８は、たとえば、パソコンなどのコンピュータに渡されて印刷されてもよいし、メモリカードに格納されて直接プリンタから印刷されてもよい。図４は、そのようにして印刷された多次元コード付画像データ５８の印刷物６５である。
【００６５】
印刷物６５には、画像データ５５を印刷した撮影画像６６とともにエリアデータ５６が記録された多次元コード５７の画像６７が印刷されている。この例では、撮影画像６６の左下部分に多次元コード５７の画像６７がオーバレイするようにデータが合成されている。したがって、この印刷物６５を見た人は、所有している携帯電話機で、多次元コード５７の画像６７を撮像すればよい。これにより、携帯電話機で多次元コード５７が解読され、エリアデータ５６が表示されるのである。図４で示した例であれば、彦根城の写真を見ながら、画像６７を読み取ることで、彦根城に関する観光情報を閲覧することが可能である。
【００６６】
このように、本実施の形態において生成された多次元コード付画像データ５８を印刷することで、この印刷物６５を見たユーザは、所有している携帯電話機を用いて簡単に付属情報を閲覧することが可能である。最近の携帯電話機であれば、２次元コードの撮像機能を標準で備えており、また、携帯電話機であれば、情報を表示する液晶パネルを備えているため、本実施の形態における印刷物６５があれば、所有している携帯電話機を用いて簡単に撮影画像に関連した情報を閲覧可能である。
【００６７】
｛第３の実施の形態｝
次に、本発明の第３の実施の形態について説明する。図５は、第３の実施の形態に係るカメラ付携帯電話機７（以下、携帯電話機７と略す。）のブロック図である。
【００６８】
撮像部７１、画像処理部７２は、第１の実施の形態における撮像部１１、画像処理部１２と同様である。制御部７３は、ＣＰＵ、ＲＡＭなどのハードウェアと、それらＣＰＵ、ＲＡＭなどのハードウェア資源を利用して実行されるソフトウェアから構成される。制御部７３は、アップロード処理部８１、多次元コード生成部８２、多次元コード合成部８３を備えている。
【００６９】
アップロード処理部８１は、撮影した画像データ８４を、ネットワーク上の画像蓄積サーバ９１にアップロードする。多次元コード生成部８２は、画像蓄積サーバ９１にアップロードされた画像データ８４のアクセスパス情報から多次元コード８５を生成する。本実施の形態においても、多次元コード８５として、ＱＲコード（登録商標）などの２次元マトリクスコードを用いている。多次元コード合成部８３は、第１の実施の形態と同様、多次元コード生成部８２により生成された多次元コード８５を撮像画像にオーバレイして合成する。
【００７０】
メモリ７４には、撮像部７１において撮像され、画像処理部７２において画像処理された画像データ８４、多次元コード生成部８２において生成された多次元コード８５、多次元コード合成部８３により合成された多次元コード付画像データ８６が格納されている。
【００７１】
液晶表示部７５、操作部７６、通信部７７は、第１の実施の形態における液晶表示部１７、操作部１８、通信部１９と同様である。
【００７２】
以上の如く構成された携帯電話機７を用いて図６で示すような印刷物９５を生成するまでの処理の流れを説明する。ユーザは、まず、携帯電話機７を用いて被写体の撮像を行う。これにより、撮像部７１から出力された画像信号が画像処理部７２において処理されて、画像データ８４がメモリ７４に記録される。
【００７３】
次に、アップロード処理部８１は、画像データ８４を画像蓄積サーバ９１にアップロードする。そして、画像データ８４の格納位置を示すアクセスパス情報を取得する。このアクセスパス情報は、ネットワーク上における画像蓄積サーバ９１のネットワークパスと、画像蓄積サーバ９１内における画像データ８４の格納ディレクトリパスとを含んでいる。
【００７４】
次に、多次元コード生成部８２が、アクセスパス情報に基づいて多次元コード８５を生成する。そして、次に、多次元コード合成部８３が、画像データ８４と多次元コード８５とを合成して多次元コード付画像データ８６を生成する。ここで、アクセスパス情報には、画像データ８４を指定する情報も含まれており、画像データ８４とアクセスパス情報とはリンクされている。そして、このアクセスパス情報から生成される多次元コード８５と画像データ８４とは、上述した実施の形態と同様にリンクする情報が記録されている。
【００７５】
このようにして合成された多次元コード付画像データ８６は、たとえば、パソコンなどのコンピュータに渡されて印刷されてもよいし、メモリカードに格納されて直接プリンタから印刷されてもよい。図６は、そのようにして印刷された多次元コード付画像データ８６の印刷物９５である。
【００７６】
印刷物９５には、画像データ８４を印刷した撮影画像９６とともにアクセス情報が記録された多次元コード８５の画像９７が印刷されている。この例では、撮像画像９６の下部分に多次元コード８５の画像９７がオーバレイするように合成されている。図２、図４で示した例のように、撮影画像と多次元コードが重なるようにオーバレイしてもよいし、図６で示した例のように、領域を分けてオーバレイさせてもよい。これは、第１および第２の実施の形態においても同様である。要するに、一枚の印刷物の中に、撮影画像と多次元コードが関連していると認識できるような位置関係でレイアウトされていればよい。
【００７７】
したがって、この印刷物９５を見た人は、所有している携帯電話機で、多次元コード８５の画像９７を撮像すればよい。これにより、携帯電話機で多次元コード８５が解読され、撮影画像へのアクセスパス情報が取得される。これにより、携帯電話機は、このアクセスパス情報に基づいて画像蓄積サーバ９１にアクセスし、印刷物９５に印刷されている撮影画像９６のオリジナルのデータをダウンロードすることが可能である。
【００７８】
このように、本実施の形態において生成された多次元コード付画像データ８６を印刷することで、この印刷物９５を見たユーザは、所有している携帯電話機を用いて簡単にオリジナルのデータを取得可能である。最近の携帯電話機であれば、２次元コードの撮像機能を標準で備えており、また、携帯電話機であれば、ネットワークアクセス機能を備えているため、本実施の形態における印刷物９５があれば、所有している携帯電話機を用いて簡単に撮影画像のオリジナルデータを取得可能である。
【００７９】
上記各実施の形態において、画像データと多次元コードは合成されて１つの画像データを構成するようにしたが、これらデータは別のファイルとして存在させ、そのリンク情報を持たせるようにしてもよい。あるいは、合成するときのレイアウト情報を持たせるようにしてもよい。
【００８０】
以上本発明の各実施の形態について説明したが、多次元コードに各実施の形態で説明した情報を複数持たせるようにしてもよい。つまり、第１の実施の形態においては、音声データ、デコードプログラムあるいはデコードプログラムのアクセスパス情報を、第２の実施の形態においては、天気情報等のエリア情報を、第３の実施の形態においては、アップロードした画像データのアクセスパス情報を多次元コード化して保存し、あるいは撮影画像にオーバレイさせるようにしたが、多次元コードにこれら情報の複数あるいは全部を含ませるようにしてもよい。たとえば、撮影画像にオーバレイさせた多次元コードに、音声データと、デコードプログラムと、天気情報と、画像データのアクセスパス情報とが記録される。あるいは、音声データと、デコードプログラムのアクセスパス情報と、観光情報と、画像データのアクセスパス情報とが記録される。
【図面の簡単な説明】
【００８１】
【図１】第１の実施の形態に係るカメラ付携帯電話機のブロック図である。
【図２】音声データが多次元コードに記録された印刷物を示す図である。
【図３】第２の実施の形態に係るカメラ付携帯電話機のブロック図である。
【図４】エリアデータが多次元コードに記録された印刷物を示す図である。
【図５】第３の実施の形態に係るカメラ付携帯電話機のブロック図である。
【図６】アクセスパス情報が多次元コードに記録された印刷物を示す図である。
【符号の説明】
【００８２】
１,４,７    カメラ付携帯電話機
１１,４１,７１    撮像部
２１,５１,８２    多次元コード生成部
２２,５２,８３    多次元コード合成部
２７,５７,８５    多次元コード
【図１】
2007104109.tif 000003
【図２】
2007104109.tif 000004
【図３】
2007104109.tif 000005
【図４】
2007104109.tif 000006
【図５】
2007104109.tif 000007
【図６】
2007104109.tif 000008